(57)【要約】本発明は、発動機本体を備えたチェーンソーであって、該発動機本体上には当該ガイドバーの長さ方向に当該ガイドバーが移動されることができる如くガイドバーが配置されるというチェーンソーに関する。該チェーンソーは、別体の工具の助力なしで手動により操作される鋸歯チェーン張設デバイス(16)を備える。該張設デバイスは、ガイドバーの長さ方向に対して略平行に延在するネジ(19)を備える。該ネジ上には、チェーンを張設するために当該チェーン張設用ナットがガイドバーと協働する如くチェーン張設用ナットが配置される。ネジ(19)は、別体の工具なしで当該チェーンソーの外部から手動調節のためにアクセス可能な張設用ホイール(26)に対して当該歯車の入力シャフトが接続された歯車(20、25)の出力シャフトに対して接続される。
2006519717.tif 000002
【特許請求の範囲】
【請求項１】
発動機本体(10)を備えたチェーンソーであって、該発動機本体上には当該ガイドバーの長さ方向に当該ガイドバーが移動されることができる如くガイドバー(13)が配置され、当該チェーンソーは、別体の工具の助力なしで手動により操作される鋸歯チェーン張設デバイス(16)であって前記ガイドバー(13)の長さ方向に対して略平行に延在するネジ(19)を有する鋸歯チェーン張設デバイス(16)を備え、前記ネジ上には、チェーン(14)を張設するために当該チェーン張設用ナットが前記ガイドバーと協働する如くチェーン張設用ナットが配置されるというチェーンソーにおいて、
前記ネジ(19)は、別体の工具なしで当該チェーンソーの外部から手動調節のためにアクセス可能な張設用ホイール(26)に対して当該歯車の入力シャフトが接続された歯車(20、25)の出力シャフトに対して接続される、
ことを特徴とするチェーンソー。
【請求項２】
前記入力シャフトおよび前記出力シャフトは、前記ガイドバー(14)の長さ方向に対して略平行である、ことを特徴とする請求項１に記載のチェーンソー。
【請求項３】
前記チェーン張設用ナット(23)は、前記ガイドバー(13)に対して係合する突出部(24)を備える、ことを特徴とする請求項１または請求項２に記載のチェーンソー。
【請求項４】
前記歯車(20、25)、前記張設用ホイール(26)、前記ネジ(19)および前記チェーン張設用ナット(23)は、前記発動機本体上に取外し可能に配置された支持ユニットに一体化される、ことを特徴とする先行請求項のいずれか一つの請求項に記載のチェーンソー。
【請求項５】
前記支持ユニットは、前記ガイドバーに対する挟持手段の役割を果たすカバー(15)として形成される、ことを特徴とする請求項３に記載のチェーンソー。
【発明の詳細な説明】
【技術分野】
【０００１】
本発明は、発動機本体を備えたチェーンソー(chain saw)であって、該発動機本体上には当該ガイドバーの長さ方向に当該ガイドバーが移動されることができる如くガイドバーが配置され、当該チェーンソーは、別体の工具の助力なしで手動により操作される鋸歯チェーン張設デバイスであってガイドバーの長さ方向に延在するチェーン張設ネジを有する鋸歯チェーン張設デバイスを備え、チェーン張設ネジ上には、チェーンを張設するために当該チェーン張設ナットがガイドバーと協働する如くチェーン張設ナットが配置されるというチェーンソーに関する。
【背景技術】
【０００２】
チェーンソーの切断用チェーンにおける各連結部は使用するにつれて摩耗することから、チェーンは伸びてガイドバー上で緩くなる。切断用チェーンの各連結部から緩みを取り除くことにより、該チェーンの各連結部がガイドバーにおける周縁のチャネル内に着座して係合したままとなることを確実とすべく、チェーンソー本体および駆動スプロケットからガイドバーを長手方向に離間移動させる多くの方法が在る。一定の方法では、操作者が特定の工具によりガイドバーを発動機本体から張設位置まで長手方向に物理的に移動させてから、ガイドバーが新たな位置に留まる様に別体の工具を使用してアセンブリを物理的に締め付ける必要がある。
【発明の開示】
【発明が解決しようとする課題】
【０００３】
別体の工具の使用を回避するために本発明は、チェーンを手動により張設すべく容易にアクセス可能であると共に簡素で信頼性の高い手段を提供する。
【課題を解決するための手段】
【０００４】
これは、各請求項に記述された特徴を有するデバイスにより達成される。
次に本発明の実施形態が添付図面を参照して記載される。
【発明を実施するための最良の形態】
【０００５】
図１に示されたチェーンソーは、ハンドル11および12と、クラッチカバー15の下側に隠されたスプロケットにより駆動される鋸歯チェーン14を習用様式で支持するチェーンソーガイドバー13とを備える発動機本体10を有する。該発動機本体は、スプロケットホイールを駆動する燃焼式エンジン、電気モータまたは他の一定の形式の駆動源を備える。
【０００６】
ガイドバー13は、該ガイドバーを発動機本体10から外方に移動したときに鋸歯チェーン14の各連結部から緩みを取り除くことを可能とするために、図３に示すチェーン張設機構16および不図示の案内機構によりガイドバーの長さ方向に滑動可能に配置される。発動機本体は、該発動機本体に対して配置されたガイドバー平面に直交して延在するバー用ボルトであってガイドバーにおけるスロットを貫通し且つクラッチカバー15における開口17を更に貫通して延在するバー用ボルトを備える。ガイドバー13は、クラッチカバー15の外部からアクセス可能な締付けホイール18に接続された不図示のナットにより、クラッチカバー15と発動機本体10との間に挟持される。
【０００７】
図４に示す張設機構16は、ガイドバー13の長さ方向に対して略平行であるネジロッド19を備える。該ネジロッドは一端にて第1歯車20を有するが、他端21は、クラッチカバー15内に配置された細長いポケット22であって張設機構16を囲繞する細長いポケット22の端部にて回動可能に支持される。ネジロッド19は、ポケット22に沿い滑動すべく配置されたチェーン張設用ネジ付きナット23であって、ガイドバー13における開口内へと延在して該ガイドバー13に係合するピン24を備えたチェーン張設用ネジ付きナット23を支持する。第1歯車20は、ネジロッド19に平行な軸心の回りで回動されるべく配置された第2歯車25であって張設用ホイール26の一体的部分である第2歯車25と係合する。張設用ホイールは、該張設用ホイールの外側部分がクラッチカバー15における開口27を貫通延在することで、該張設用ホイールをクラッチカバーの外部から手動により回動し得る如く、細長いポケット22の他端にて支持される。操作者が締付けホイール18によりバー用ボルトのナットを緩めたときに発動機本体10に関してクラッチカバー15が移動するのを防止すべく、クラッチカバーおよび／または発動機本体は、該発動機本体および／またはクラッチカバーにおける対応する凹所に係合する一個もしくは数個の突起28を備える。
【０００８】
張設デバイスは、以下の様に動作する。チェーンに緩みがあるときに操作者は、発動機本体10に対してクラッチカバー15とガイドバー13とを挟持しているナットを緩める如く、締付けホイール18を回動する。次に操作者は自身の一本の指にて張設用ホイール26を回動することで、該回動動作は歯車20、25によりネジロッド19へと伝達される。ネジロッド19と、ピン24を備えたチェーン張設用ナット23との間はネジ式係合されていることから、ガイドバーが発動機本体から外方に押圧されてチェーン14が張設される如く、チェーン張設用ナットはポケット16の長さ方向に移動される。適切な位置が達成されたときに操作者は、締付けホイール18の助力によりガイドバーに対してクラッチカバー15を挟持することで、新たな位置にガイドバーを固定する。
【図面の簡単な説明】
【０００９】
【図１】本発明に係る機構を備えたチェーンソーの部分破断側面図である。
【図２】本機構を収容するクラッチカバーの正面図である。
【図３】図２に示されたクラッチカバーの背面図である。
【図４】張設機構の斜視図である。
【図１】
2006519717.tif 000003
【図２】
2006519717.tif 000004
【図３】
2006519717.tif 000005
【図４】
2006519717.tif 000006
【国際調査報告】
2006519717.tif 000007
2006519717.tif 000008